(57)【要約】【課題】使用者の使い勝手や趣味性に応じて大きさや形状を所定の範囲内で決定できる付箋を提供する。【解決手段】  付箋１は、罫線５と、罫線５を構成する垂直縦線３と水平横線４との交点を通る２つの斜線６ａ，６ｂを含む各線上に切り離しを可能とするミシン目７が形成され、裏面には、粘着剤層８を形成した紙または樹脂フィルム製の薄板材２がバックシート９ａ上に複数枚積層された付箋ユニット９からなり、使用者の趣味性に応じて、裏面に粘着剤層８を有する正方形，短冊形を含む長方形，二等辺三角形，直角三角形，台形，平行四辺形，菱形，矢形（矢印），星形などの様々な形状で任意な大きさをミシン目７に沿って薄板材２から切り離して使用する。【選択図】          図１
2013256080.tif 000002
【特許請求の範囲】
【請求項１】
様々な形状や図柄に切り離しを可能とするミシン目が形成され、裏面に、粘着剤層を形成した紙または樹脂フィルム製の薄板材が複数枚積層された付箋ユニットからなることを特徴とする付箋。
【請求項２】
罫線と、罫線を構成する縦線と横線との交点を通って交差する２つの斜線を含む各線上に切り離しを可能とするミシン目が形成され、裏面には、粘着剤層を形成した紙または樹脂フィルム製の薄板材が複数枚積層された付箋ユニットからなることを特徴とする付箋。
【請求項３】
請求項２に記載の付箋において、
前記２つの斜線の交点を通る第２の縦線上に切り離しを可能とするミシン目が形成されてなることを特徴とする付箋。
【請求項４】
曲線と、曲線と直線との複合線と、直線とを含む線上に切り離しを可能とするミシン目が形成され、裏面に粘着剤層を形成した紙または樹脂フィルム製の薄板材が複数枚積層された付箋ユニットからなることを特徴とする付箋。
【請求項５】
請求項１乃至請求項４のいずれか１項に記載の付箋において、
前記薄板材は着色され、および／または図柄が表示されている付箋。
【発明の詳細な説明】
【技術分野】
【０００１】
本発明は付箋に係り、詳しくは、目印・備忘のために貼り付ける用途の他に、装飾機能を発揮するシールとしても適用可能な付箋に関する。
【背景技術】
【０００２】
従来、一般的な付箋は、一端部側の裏面に粘着剤層を形成した紙製の短冊片を複数枚積層して付箋ユニットを構成し、この付箋ユニットを複数個パッケージして販売されており、購入者は、各付箋ユニットから短冊片を一枚づつ剥がして、目印・備忘のために、たとえば書籍の所望頁などに貼り付ける。
【先行技術文献】
【特許文献】
【０００３】
【特許文献１】特に無し
【発明の概要】
【発明が解決しようとする課題】
【０００４】
前記従来の付箋は、縦横の大きさが付箋ユニットの縦横の大きさによって決定され、その形状の主流は短冊形である。つまり、従来の付箋は、使用者の使い勝手や趣味性に応じて大きさおよび形状を決定する余地がない。しかも、少量使用のために必要なサイズの付箋を買いそろえる必要があり、携帯するのに不便であり、装飾機能を発揮するシールとしての使用に適用し難いなどの問題点を有する。
【０００５】
本発明は上記の実情に鑑みてなされたものであって、使用者の使い勝手や趣味性に応じて大きさや形状を所定の範囲内で決定できる付箋および装飾機能を発揮するシールとしての使用に適用し得る付箋の提供を目的とするものである。
【課題を解決するための手段】
【０００６】
前記目的を達成するために、本発明に係る付箋は、様々な形状や図柄に切り離しを可能とするミシン目が形成され、裏面に、粘着剤層を形成した紙または樹脂フィルム製の薄板材が複数枚積層された付箋ユニットからなることを特徴としている。
【０００７】
このような構成の付箋によれば、使用者の趣味性に応じて、裏面に粘着剤層を有する正方形、短冊形を含む長方形、直角三角形、台形、平行四辺形、矢形（矢印）、疑似星形などの様々な形状や図柄をミシン目に沿って薄板材から切り離して付箋として使用することができる。また、使用者の使い勝手に応じて、前記各形状の大きさの可変も可能である。
【０００８】
また、前記目的を達成するために、本発明に係る付箋は、罫線と、罫線を構成する垂直縦線と水平横線との交点を通って交差する２つの斜線を含む各線上に切り離しを可能とするミシン目が形成され、裏面には、粘着剤層を形成した紙または樹脂フィルム製の薄板材が複数枚積層された付箋ユニットからなることを特徴としている。
【０００９】
このような構成の付箋によれば、使用者の趣味性に応じて、裏面に粘着剤層を有する正方形、短冊形を含む長方形、直角三角形、台形、平行四辺形、矢形（矢印）、疑似星形などの様々な形状をミシン目に沿って薄板材から切り離して付箋として使用することができる。また、使用者の使い勝手に応じて、前記各形状の大きさの可変も可能である。また、所定間隔毎にミシン目が存在することにより、罫線の代用となり真っ直ぐに文字を書くのに便利であるとともに、定規なしで必要な大きさのメモが作成することができる。
【００１０】
さらに、本発明に係る付箋は、上記２つの斜線の交点を通る第２の縦線上に切り離しを可能とするミシン目が形成されてなることを特徴としている。
【００１１】
このような構成の付箋によれば、使用者の趣味性に応じて、裏面に粘着剤層を有する正方形、短冊形を含む長方形、直角三角形、台形、平行四辺形、矢形（矢印）、疑似星形などの様々な形状をミシン目に沿って薄板材から切り離して付箋として使用することができる。また、使用者の使い勝手に応じて、前記各形状の大きさの可変も可能である。また、所定間隔毎にミシン目が存在することにより、罫線の代用となり真っ直ぐに文字を書くのに便利であるとともに、定規なしで必要な大きさのメモが作成することができる。さらに幅狭で細長の短冊形を含む長方形や小さい矢尻の矢形（矢印）をミシン目に沿って薄板材から切り離してシールとして使用できる。
【００１２】
また、本発明に係る付箋は、曲線と、曲線と直線との複合線と、直線とを含む線上に切り離しを可能とするミシン目が形成され、裏面に粘着剤層を形成した紙または樹脂フィルム製の薄板材が複数枚積層された付箋ユニットからなることを特徴としている。
【００１３】
このような付箋によれば、使用者の趣味性に応じて、曲線上にミシン目を形成した円形，楕円形，三日月形，ハート形などを薄板材から切り離してシールとして使用したり、複合線上にミシン目を形成した半円形や長円形（小判形）などを薄板材から切り離してシールとして使用したり、直線上にミシン目を形成した三角形や星形、あるいは、菱形，台形，平行四辺形を含む四角形以上の多角形などを薄板材から切り離してシールとして使用することができる。
【００１４】
なお、前記「ミシン目」とは、通常「切り離しを可能に、小さいピッチで穿設された円形の小孔列」のことであるが、切り離しを可能であれば、ミシン目の形、大きさ、ミシン目の相互間の間隔などは問わない。また、この「ミシン目」は、周知のロータリーカット法やダイカット法、或いはスリット加工などによって容易に形成することができる。
【００１５】
前記薄板材は、着色され、および／または図柄が表示されていることが望ましい。これによると、趣味性に応じた色彩や図柄の付箋の選択使用が可能となる。
【発明の効果】
【００１６】
本発明に係る付箋は、使用者の使い勝手や趣味性に応じて様々な大きさや形状を所定の範囲内で決定できる。また、装飾機能を発揮するシールとしての使用に適用できる。
【図面の簡単な説明】
【００１７】
【図１】本発明の付箋の一実施形態を示す表面図である。
【図２】図１の裏面図である。
【図３】付箋ユニットの一例を示す斜視図である。
【図４】図４（ａ）〜図４（ｇ）は、図１，図２の付箋の使用例を示す説明図である。
【図５】本実施形態における粘着剤層形成パターンの他の例を示す裏面図である。
【図６】図５の付箋のシールとしての使用例を示す説明図である。
【図７】図７（ａ）〜図７（ｃ）は、本実施形態における粘着剤層形成パターンの他の例を示す裏面図である。
【図８】図８（ａ）〜図８（ｈ）は、図７の付箋の使用例を示す説明図である。
【図９】本発明の付箋の他の実施形態を示す表面図である。
【図１０】図９の裏面図である。
【図１１】図９，図１０の付箋の使用例を示す説明図である。
【図１２】本発明の付箋の他の実施形態を示す表面図である。
【図１３】図１２の裏面図である。
【発明を実施するための形態】
【実施例】
【００１８】
以下、本発明に係る付箋の好ましい実施形態を図面に基づいて説明する。図１は本発明の付箋の一実施形態を示す表面図、図２は図１の裏面図、図３は付箋ユニットの一例を示す斜視図である。
【００１９】
図１〜図３において、付箋１は、複数の垂直縦線３と複数の水平横線４とを備える罫線５と、各垂直縦線３と各水平横線４との交点を通る２つの斜線６ａ，６ｂを含む各線上に、切り離しを可能とする破線で示すミシン目７が形成され、その裏面の一端部（図１，図２の上端部）に横方向全域に水平にのびる帯状の粘着剤層８が形成された紙または樹脂フィルム製の正方形の薄板材２を、図３のように、バックシート９ａ上に複数枚積層した付箋ユニット９からなる。ただし、図３では、垂直縦線３、水平横線４、罫線５および斜線６ａ，６ｂなどの図示は省略している。
【００２０】
前記構成によれば、使用者の趣味性に応じて、たとえば、図４（ａ）において太い実線で示す正方形、図４（ｂ）において太い実線で示す短冊形を含む長方形、図４（ｃ）において太い実線で示す二等辺直角三角形（以下の説明では、直角三角形という）、図４（ｄ）において太い実線で示す台形、図４（ｅ）において太い実線で示す平行四辺形、図４（ｆ）において太い実線で示す矢形（矢印）、図４（ｇ）において太い実線で示す疑似星形などの様々な形状をミシン目７に沿って薄板材２から切り離して、縦方向の一端部裏面に粘着剤層８（図２参照）を有する付箋１として使用することができる。また、使用者の使い勝手に応じて、前記各形状の大きさの可変も可能である。
【００２１】
図５は、本実施例の付箋の粘着剤層形成パターンの変形例を示す裏面図である。なお、図２と同一部分には、同一符号を付して重複する構造説明は省略する。図５において、薄板材２の裏面の一端部（図５の上端部）と縦方向の中央部との２箇所に分離して、横方向全域に水平にのびる帯状の粘着剤層８を２条形成してある。なお、帯状の粘着剤層８の条数は３条以上であってもよい。
【００２２】
前記構成によれば、一端部裏面に粘着剤層８を有する前記各形状の付箋１、つまり、図６（ａ）において太い実線で示す縦方向の一端部裏面に粘着剤層８を有する正方形、図６（ｂ）において太い実線で示す短冊形を含む長方形、図６（ｃ）において太い実線で示す直角三角形、図６（ｄ）において太い実線で示す台形、図６（ｅ）において太い実線で示す平行四辺形、図６（ｆ）において太い実線で示す矢形（矢印）、図６（ｇ）において太い実線で示す疑似星形などの様々な形状の付箋１を、粘着剤層８の条数（２条）に相当する２つの領域１２Ａ，１２Ｂ（図５参照）内でミシン目７に沿って薄板材２から切り離して使用することができる。
【００２３】
図７は、本実施例の付箋の粘着剤層形成パターンのさらに変形した実施例を示す裏面図である。なお、図２と同一部分には、同一符号を付して重複する構造説明は省略する。
図７（ａ）において、薄板材２の裏面の一側端部（図７の左端部）に縦方向全域に垂直にのびる帯状の粘着剤層８を１条形成し、図７（ｂ）において、薄板材２の裏面の一側端部（図７の左端部）と横方向の中央部との２箇所に分離して、縦方向全域に垂直にのびる帯状の粘着剤層８を２条形成してある。なお、帯状の粘着剤層８の条数は３条以上であってもよい。また、図７（ｃ）において、薄板材２の裏面の全面に粘着剤層８を形成するものである。
なお、本実施例の付箋の薄板材２は、縦長、横長の長方形や円形やハート型であってもよく、その形状は問わない。
【００２４】
図９は本発明の付箋の他の実施形態を示す表面図、図１０は図９の裏面図である。なお、図１，図２と同一部分には、同一符号を付して重複する構造説明は省略する。図３、図９，図１０において、付箋１は、前記２つの斜線６ａ，６ｂの交点を通る第２の縦線１０上に切り離しを可能とする破線で示すミシン目７が形成され、その裏面の一端部（図９，図１０の上端部）に横方向全域に水平にのびる帯状の粘着剤層８が形成された紙または樹脂フィルム製の正方形の薄板材２を、図３のように、バックシート９ａ上に複数枚積層した付箋ユニット９からなる。
【００２５】
前記構成によれば、前記図４（ａ）〜図４（ｇ）において太い実線で示す様々な形状をミシン目７に沿って薄板材２から切り離して付箋１として使用することができるとともに、図１１において太い実線で示すように、さらに幅狭で細長の短冊形を含む長方形や矢尻の小さい矢形（矢印）をミシン目に沿って切り離して付箋として使用できる。
【００２６】
本実施例においては、前記帯状の粘着剤層８は、横方向に水平にのびる帯状の粘着剤層８を一条形成されているが、この帯状の粘着剤層８を図５のように２条形成する場合でも、また帯状の粘着剤層８の条数を３条以上としてもよい。
また、薄板材２の裏面の一側端部（図７（ａ）参照）に縦方向全域に垂直にのびる帯状の粘着剤層８を１条形成し、或いは薄板材２の裏面の一側端部と横方向の中央部との２箇所に分離して、縦方向全域に垂直にのびる帯状の粘着剤層８を２条形成してもよい（図７（ｂ）参照）、また、帯状の粘着剤層８の条数は３条以上であってもよい。また、薄板材２の裏面の全面に粘着剤層８を形成するものであってもよい（図７（ｃ）参照）。
なお、本実施例の付箋の薄板材２は、縦長、横長の長方形や円形やハート型であってもよく、その形状は問わない。
【００２７】
図１２は本発明の付箋の他の実施形態を示す表面図、図１３は図１２の裏面図である。なお、図１，図２と同一部分には、同一符号を付して重複する構造説明は省略する。
図３、図１２，図１３において、付箋１は、円形，楕円形，三日月形，ハート形などの曲線１３上に切り離しを可能とするミシン目７を形成し、半円形や長円形（小判形）などの曲線と直線との複合線１４上に切り離しを可能とするミシン目７が形成され、裏面の全面に粘着剤層８を形成した紙または樹脂フィルム製の薄板材２を、図３のように、バックシート９ａ上に複数枚積層した付箋ユニット９からなる。
【００２８】
前記構成によれば、使用者の趣味性に応じて、円形，楕円形，三日月形，ハート形などの形状をミシン目７に沿って薄板材２から切り離すことで、これらをシールとして使用することができ、半円形や長円形（小判形）などの形状をミシン目７に沿って薄板材２から切り離すことで、これらをシールとして使用することができる。
【００２９】
また、前記曲線１３上のミシン目７や複合線１４上のミシン目７に代えて、図示を省略しているが、三角形や星形、あるいは、菱形，台形，平行四辺形を含む四角形以上の多角形などの直線上に切り離しを可能とするミシン目を形成すれば、これらをミシン目に沿って薄板材から切り離すことで、シールとして使用することができる。
【００３０】
本実施例においては、図１３に示すように、薄板材２の裏面の全面に粘着剤層８を形成するものとしているが、この粘着剤層８を横方向に水平にのびる帯状の粘着剤層８、或いは縦方向全域に垂直にのびる帯状の粘着剤層８を１条、或いは複数条形成したものであってもよい。
なお、本実施例の付箋の薄板材２は、縦長、横長の長方形や円形やハート型であってもよく、その形状は問わない。
【００３１】
前記各実施形態において、着色した、および／または図柄を表示した薄板材２を使用することで、趣味性に応じた色彩や図柄の付箋１の選択使用が可能となる。
【００３２】
前記各実施形態では、１枚の薄板材２から複数の付箋１の切り離しが可能な構成で説明しているが、本発明において、１枚の薄板材２から切り離す付箋１の数とその大きさは任意である。また、バックシート９ａ上に複数枚積層した付箋ユニット９からなる。
【００３３】
前記各実施形態では、ミシン目７は、図示するように、切り離しを可能に、小さいピッチで穿設された円形の小孔列としているが、切り離しを可能であれば、ミシン目７の形、大きさ、ミシン目の相互間の間隔などは問わない。
【産業上の利用可能性】
【００３４】
本発明は、目印・備忘のために貼り付ける付箋の他に、装飾機能を発揮するシールとしても適用可能な付箋として有用である。
【符号の説明】
【００３５】
１  付箋
２  薄板材
３  垂直縦線
４  水平横線
５  罫線
６ａ  斜線
６ｂ  斜線
７  ミシン目
８  粘着剤層
９  付箋ユニット
１０  第２の縦線
１３  曲線
１４  複合線
【図１】
2013256080.tif 000003
【図２】
2013256080.tif 000004
【図３】
2013256080.tif 000005
【図４】
2013256080.tif 000006
【図５】
2013256080.tif 000007
【図６】
2013256080.tif 000008
【図７】
2013256080.tif 000009
【図８】
2013256080.tif 000010
【図９】
2013256080.tif 000011
【図１０】
2013256080.tif 000012
【図１１】
2013256080.tif 000013
【図１２】
2013256080.tif 000014
【図１３】
2013256080.tif 000015